(57)【要約】      （修正有） 【課題】鼻・口・頬・顎と耳も覆い、かつ首周りも覆うことができ、顔面と耳と首周りの肌を紫外線から保護し肌の保湿も図り、また首周りのしわ・シミを隠すことができ、さらに首周りと顔面と耳を被覆した状態で使用したり、首周りのみを被覆しネックカバーとしても使用できる筒状カバーを提供する。【解決手段】鼻・口・頬・顎と耳及び首周りを被覆できる伸縮性のある生地からなる首・顔面の筒状カバーＡであって、筒状カバーは、筒状本体１と、筒状本体の上端より内側に折り返された折り返し部２とを備え、折り返し部は、一対の耳掛け用開口部３と、耳掛け用開口部の下端と折り返し部の下端の間に設けられ、折り返し部を筒状本体に固定する下部固定部と、耳掛け用開口部の上端と折り返し部の上端の間に設けられ、折り返し部を筒状本体に固定する上部固定部とを備える。【選択図】図２
0003207567.tif 000002
【実用新案登録請求の範囲】
【請求項１】
顔面の鼻・口・頬・顎と耳及び首周りを被覆できる伸縮性のある生地からなる首・顔面の筒状カバーであって、
前記首・顔面の筒状カバーは、筒状本体と、前記筒状本体の上端より内側に折り返された折り返し部とを備え、前記折り返し部は、一対の耳掛け用開口部と、前記耳掛け用開口部の下端と前記折り返し部の下端間に設けられ、前記折り返し部を前記筒状本体に固定する下部固定部と、前記耳掛け用開口部の上端と前記折り返し部の上端間に設けられ、前記折り返し部を前記筒状本体に固定する上部固定部とを備えることを特徴とする首・顔面の筒状カバー。
【請求項２】
前記筒状本体は、顔面の鼻・口・頬及び首の前部を覆う前部被覆部と、首の後部を覆う後部被覆部とを備え、前記前部被覆部の両側部と前記後部被覆部の両側部とを縫合し筒状としたものである請求項１に記載の首・顔面の筒状カバー。
【請求項３】
前記折り返し部は、前記筒状本体の前記前部被覆部と連続する前部側部分と、前記筒状本体の前記後部被覆部と連続する後部側部分とを備え、前記耳掛け用開口部は、前記前部側部分の両側部に設けた円弧状の前部切欠部と、前記後部側部分の両側部に設けた円弧状の後部切欠部とを組合わせて形成したものである請求項２に記載の首・顔面の筒状カバー。
【請求項４】
前記首・顔面の筒状カバーは、前記前部被覆部と前記後部被覆部の縫合部に沿って、引っ張られた状態にて取り付けられた形態保持テープを備え、前記首・顔面の筒状カバーは、前記形態保持テープの収縮力によるギャザーを備えている請求項２または３に記載の首・顔面の筒状カバー。
【請求項５】
前記筒状本体は、下方に向けて末が広がる形状となっている請求項１ないし４のいずれかに記載の首・顔面の筒状カバー。
【請求項６】
前記下部固定部および前記上部固定部は、縫合部である請求項１ないし５のいずれかに記載の首・顔面の筒状カバー。
【請求項７】
前記首・顔面の筒状カバーは、紫外線難透過性素材により構成されている請求項１ないし６のいずれかに記載の首・顔面の筒状カバー。
【請求項８】
顔面の鼻・口・頬・顎と耳及び首周りを被覆できる伸縮性のある生地からなる首・顔面の筒状カバーであって、
前記首・顔面の筒状カバーは、筒状本体と、前記筒状本体の上端より内側に折り返された折り返し部とを備え、前記折り返し部は、一対の耳掛け用開口部と、前記耳掛け用開口部の下端と前記折り返し部の下端間に設けられ、前記折り返し部を前記筒状本体に固定する下部固定部と、前記耳掛け用開口部の上端と前記折り返し部の上端間に設けられ、前記折り返し部を前記筒状本体に固定する上部固定部とを備え、
さらに、前記筒状本体は、顔面の鼻・口・頬及び首の前部を覆う前部被覆部と、首の後部を覆う後部被覆部とを備え、前記前部被覆部の両側部と前記後部被覆部の両側部とを縫合し筒状としたものであり、
前記折り返し部は、前記筒状本体の前記前部被覆部と連続する前部側部分と、前記筒状本体の前記後部被覆部と連続する後部側部分とを備え、前記耳掛け用開口部は、前記前部側部分の両側部に設けた円弧状の前部切欠部と、前記後部側部分の両側部に設けた円弧状の後部切欠部とを組合わせて形成したものであることを特徴とする首・顔面の筒状カバー。
【請求項９】
前記首・顔面の筒状カバーは、前記前部被覆部と前記後部被覆部の縫合部に沿って、引っ張られた状態にて取り付けられた形態保持テープを備え、前記首・顔面の筒状カバーは、前記形態保持テープの収縮力によるギャザーを備えている請求項８に記載の首・顔面の筒状カバー。
【請求項１０】
顔面の鼻・口・頬・顎と耳及び首周りを被覆できる伸縮性のある生地からなる首・顔面の筒状カバーであって、
前記首・顔面の筒状カバーは、筒状本体と、前記筒状本体の上端より内側に折り返された折り返し部とを備え、前記折り返し部は、一対の耳掛け用開口部と、前記耳掛け用開口部の下端と前記折り返し部の下端間に設けられ、前記折り返し部を前記筒状本体に固定する下部固定部と、前記耳掛け用開口部の上端と前記折り返し部の上端間に設けられ、前記折り返し部を前記筒状本体に固定する上部固定部とを備え、
さらに、前記筒状本体は、顔面の鼻・口・頬及び首の前部を覆う前部被覆部と、首の後部を覆う後部被覆部とを備え、前記前部被覆部の両側部と前記後部被覆部の両側部とを縫合し筒状としたものであり、
前記首・顔面の筒状カバーは、前記前部被覆部と前記後部被覆部の縫合部に沿って、引っ張られた状態にて取り付けられた形態保持テープを備え、前記首・顔面の筒状カバーは、前記形態保持テープの収縮力によるギャザーを備えていることを特徴とする首・顔面の筒状カバー。
【請求項１１】
前記筒状本体は、下方に向けて末が広がる形状となっている請求項８ないし１０のいずれかに記載の首・顔面の筒状カバー。
【請求項１２】
前記下部固定部および前記上部固定部は、縫合部である請求項８ないし１１のいずれかに記載の首・顔面の筒状カバー。
【請求項１３】
前記首・顔面の筒状カバーは、紫外線難透過性素材により構成されている請求項８ないし１２のいずれかに記載の首・顔面の筒状カバー。
【考案の詳細な説明】
【技術分野】
【０００１】
本考案は、外出時や屋外での行動時に、首周りに装着したり、首周りと顔面と耳を覆うように装着することができ、首周りのみ又は首周りと顔面と耳を紫外線から保護するとともに、肌の保湿も図り、かつ、首周りのしわ等を隠すことができる首・顔面の筒状カバーに関する。
【背景技術】
【０００２】
近年、肌を外気に晒すと、紫外線による日焼け等の悪影響を受け、また肌から水分が奪われ、排気ガス等の影響も受けて、肌が劣化・老化することから、外出時や屋外での行動時の首周りや顔面や耳の肌の保護についての関心が高く、日傘を差したり、日よけ用の帽子を被ること等の対策が講じられている。
しかし、外出時又は屋外で行動する際に、自転車に乗ったり、ジョギングをする場合等は、日傘を差したり、日よけ用の帽子を被ることができないので、首周り・顔面・耳の肌を保護することが難しかった。
また、日傘を差したり、日よけ用の帽子を被ることができる場合であっても、首周りの肌の保護を十分にすることができないため、首周りを覆う必要があり、かつ、加齢にともなう首周りのしわ・シミも気になり、首周りのしわ・シミを隠しつつファッション性を兼ね備えた首周りを覆うネックカバーが求められている。
【０００３】
従来、首や顔面の肌を紫外線から保護する首・顔面カバーとしては、例えば、特開２０１２−１４９３６９号公報（特許文献１）に示すような顔面と首の日除けカバーが提案されている。
この特許文献１の顔面と首の日除けカバーは、顔面の鼻と耳から下の部分および首周りを覆う筒状の遮光布と、顔面の目から下の部分を覆う帯状遮光布と、顔面の目の横を覆う遮光片と、前記遮光布を耳に取付け固定する固定紐から構成されたものである。
また、特開２０１４−８８６５０号公報（特許文献２）に示すような紫外線防止用フェイスマスクが提案されている。
この特許文献２の紫外線防止用フェイスマスクは、マスク本体が、鼻部・頬部・耳部を覆う布である上マスク部と口部・顎部・前首部を覆う布である下マスク部とからなり、前記上マスク部の下縁と前記下マスク部の上縁とを、鼻穴部を除いて縫合したものである。
【先行技術文献】
【特許文献】
【０００４】
【特許文献１】特開２０１２−１４９３６９号公報
【特許文献２】特開２０１４−８８６５０号公報
【考案の概要】
【考案が解決しようとする課題】
【０００５】
しかしながら、前記特許文献１に示す顔面と首の日除けカバーは、耳を覆うことができず、また、顔面を覆う必要が無い場合は、首周りだけを覆うネックカバーとして使用することができない。また、特許文献２の紫外線防止用フェイスマスクは、耳を覆うことができるが首の後部を覆うことができず、また、前記特許文献１と同様に、顔面を覆う必要が無い場合に、首周りを覆うネックカバーとして使用することができないという問題点があった。
【０００６】
本考案は、前記の問題点を解消するために、簡単な構成で、鼻・口・頬・顎の他、耳も覆うことができ、かつ、首の後部も含めた首周りを覆うことができ、顔面と耳と首周りの肌を紫外線から保護し、肌の保湿も図り、また、首周りのしわ・シミを隠すことができ、さらに、首周りと顔面と耳を被覆した状態で使用したり、首周りのみを被覆しネックカバーとしても使用できる首・顔面の筒状カバーを提供することを目的としている。
【課題を解決するための手段】
【０００７】
本考案の首・顔面の筒状カバーは、以下のものである。
（１）  顔面の鼻・口・頬・顎と耳及び首周りを被覆できる伸縮性のある生地からなる首・顔面の筒状カバーであって、前記首・顔面の筒状カバーは、筒状本体と、前記筒状本体の上端より内側に折り返された折り返し部とを備え、前記折り返し部は、一対の耳掛け用開口部と、前記耳掛け用開口部の下端と前記折り返し部の下端間に設けられ、前記折り返し部を前記筒状本体に固定する下部固定部と、前記耳掛け用開口部の上端と前記折り返し部の上端間に設けられ、前記折り返し部を前記筒状本体に固定する上部固定部とを備える首・顔面の筒状カバー。
【０００８】
（２）  前記筒状本体は、顔面の鼻・口・頬及び首の前部を覆う前部被覆部と、首の後部を覆う後部被覆部とを備え、前記前部被覆部の両側部と前記後部被覆部の両側部とを縫合し筒状としたものである前記（１）に記載の首・顔面の筒状カバー。
（３）  前記折り返し部は、前記筒状本体の前記前部被覆部と連続する前部側部分と、前記筒状本体の前記後部被覆部と連続する後部側部分とを備え、前記耳掛け用開口部は、前記前部側部分の両側部に設けた円弧状の前部切欠部と、前記後部側部分の両側部に設けた円弧状の後部切欠部とを組合わせて形成したものである前記（２）に記載の首・顔面の筒状カバー。
（４）  前記首・顔面の筒状カバーは、前記前部被覆部と後部被覆部の縫合部に沿って、引っ張られた状態にて取り付けられた形態保持テープを備え、前記首・顔面の筒状カバーは、前記形態保持テープの収縮力によるギャザーを備えている前記（２）または（３）に記載の首・顔面の筒状カバー。
（５）  前記筒状本体は、下方に向けて末が広がる形状となっている前記（１）ないし（４）のいずれかに記載の首・顔面の筒状カバー。
（６）  前記下部固定部および前記上部固定部は、縫合部である前記（１）ないし（５）のいずれかに記載の首・顔面の筒状カバー。
（７）  前記首・顔面の筒状カバーは、紫外線難透過性素材により構成されている前記（１）ないし（６）のいずれかに記載の首・顔面の筒状カバー。
【０００９】
また、本考案の首・顔面の筒状カバーは、以下のものである。
（８）  顔面の鼻・口・頬・顎と耳及び首周りを被覆できる伸縮性のある生地からなる首・顔面の筒状カバーであって、前記首・顔面の筒状カバーは、筒状本体と、前記筒状本体の上端より内側に折り返された折り返し部とを備え、前記折り返し部は、一対の耳掛け用開口部と、前記耳掛け用開口部の下端と前記折り返し部の下端間に設けられ、前記折り返し部を前記筒状本体に固定する下部固定部と、前記耳掛け用開口部の上端と前記折り返し部の上端間に設けられ、前記折り返し部を前記筒状本体に固定する上部固定部とを備え、さらに、前記筒状本体は、顔面の鼻・口・頬及び首の前部を覆う前部被覆部と、首の後部を覆う後部被覆部とを備え、前記前部被覆部の両側部と前記後部被覆部の両側部とを縫合し筒状としたものであり、前記折り返し部は、前記筒状本体の前記前部被覆部と連続する前部側部分と、前記筒状本体の前記後部被覆部と連続する後部側部分とを備え、前記耳掛け用開口部は、前記前部側部分の両側部に設けた円弧状の前部切欠部と、前記後部側部分の両側部に設けた円弧状の後部切欠部とを組合わせて形成したものである首・顔面の筒状カバー。
（９）  前記首・顔面の筒状カバーは、前記前部被覆部と前記後部被覆部の縫合部に沿って、引っ張られた状態にて取り付けられた形態保持テープを備え、前記首・顔面の筒状カバーは、前記形態保持テープの収縮力によるギャザーを備えている前記（８）に記載の首・顔面の筒状カバー。
【００１０】
また、本考案の首・顔面の筒状カバーは、以下のものである。
（１０）  顔面の鼻・口・頬・顎と耳及び首周りを被覆できる伸縮性のある生地からなる首・顔面の筒状カバーであって、前記首・顔面の筒状カバーは、筒状本体と、前記筒状本体の上端より内側に折り返された折り返し部とを備え、前記折り返し部は、一対の耳掛け用開口部と、前記耳掛け用開口部の下端と前記折り返し部の下端間に設けられ、前記折り返し部を前記筒状本体に固定する下部固定部と、前記耳掛け用開口部の上端と前記折り返し部の上端間に設けられ、前記折り返し部を前記筒状本体に固定する上部固定部とを備え、さらに、前記筒状本体は、顔面の鼻・口・頬及び首の前部を覆う前部被覆部と、首の後部を覆う後部被覆部とを備え、前記前部被覆部の両側部と前記後部被覆部の両側部とを縫合し筒状としたものであり、前記首・顔面の筒状カバーは、前記前部被覆部と前記後部被覆部の縫合部に沿って、引っ張られた状態にて取り付けられた形態保持テープを備え、前記首・顔面の筒状カバーは、前記形態保持テープの収縮力によるギャザーを備えている首・顔面の筒状カバー。
（１１）  前記筒状本体は、下方に向けて末が広がる形状となっている前記（８）ないし（１０）のいずれかに記載の首・顔面の筒状カバー。
（１２）  前記下部固定部および前記上部固定部は、縫合部である前記（８）ないし（１１）のいずれかに記載の首・顔面の筒状カバー。
（１３）  前記首・顔面の筒状カバーは、紫外線難透過性素材により構成されている前記（８）ないし（１２）のいずれかに記載の首・顔面の筒状カバー。
【考案の効果】
【００１１】
本考案の首・顔面の筒状カバーは、伸縮性のある生地で構成されているので、前記筒状カバーを押し広げて頭を通し、顔面の鼻・口・頬・顎と耳及び首周りを被覆できる。
前記首・顔面の筒状カバーは、筒状本体と、筒状本体の上端より内側に折り返された折り返し部とを備え、折り返し部は、一対の耳掛け用開口部が備えられているから、前記耳掛け用開口部に耳を通すことにより、装着位置に前記首・顔面の筒状カバーを装着することができる。
このため、本考案の首・顔面の筒状カバーによれば、外出時や屋外での行動時に、日傘を差すことができない場合や日除け用帽子を被ることができない場合、首周りだけでなく顔面の鼻・口・頬・顎、即ち、顔面の目の下付近から下半分を紫外線から保護し、肌の乾燥を防ぎ保湿を図ることができる。
また、日傘を差したり、日除け用の帽子を被る場合においては、顔面の鼻・口・頬と耳を被覆する必要性が少ない場合は、前記首・顔面の筒状カバーの耳掛け用開口部から耳を外すことにより、容易に首周りに引き下げることができるので、ネックカバーとして使用でき、首周りの肌が紫外線から保護され、肌の保湿を図り、かつ、首周りのしわ・シミを覆い隠すことができ、使用上便利である。
【００１２】
さらに、筒状本体の上端より内側に折り返された折り返し部に、耳を通す一対の耳掛け用開口部を備え、耳掛け用開口部に耳を通すことにより、前記筒状カバーを装着位置に保持するとともに、耳掛け用開口部に通した耳は折り返し部と筒状本体の間にあって外気に晒されない構造となっているので、簡単な構造で耳を覆うことができ、耳も日焼け等の紫外線による悪影響を防ぐことができる。
また、折り返し部は、前記耳掛け用開口部の下端と折り返し部の下端間に設けられた下部固定部と、耳掛け用開口部の上端と折り返し部の上端間に設けられた上部固定部を備えているため、耳掛け用開口部に耳を通した状態における折り返し部の折り返し形態が安定し、良好な装着状態を維持できる。
【００１３】
前記首・顔面の筒状カバーは、筒状本体が、顔面の鼻・口・頬・顎及び首の前部を覆う前部被覆部と、首の後部を覆う後部被覆部とを備え、それぞれの両側部を縫合して筒状としたものであるから、製作が極めて容易である。
【００１４】
前記折り返し部は、前部側部分と後部側部分とを備え、前記耳掛け用開口部は、前記前部側部分の両側部に設けた円弧状の前部切欠部と、前記後部側部分の両側部に設けた円弧状の後部切欠部とを組合わせて形成されるので、耳を通す耳掛け用開口部を別途形成する必要がなく、前記折り返し部の前部側部分と後部側部分を縫合するする際に、前部切欠部と後部切欠部を縫合しないで開口したままにすることで耳掛け用開口部が形成され製造が容易である。
【００１５】
前記首・顔面の筒状カバーは、前記前部被覆部と後部被覆部の縫合部に沿って、引っ張られた状態にて取り付けられた形態保持テープを備えているので、前記首・顔面の筒状カバーは、前記形態保持テープの収縮力によりギャザーが形成され、特に、首・顔面の筒状カバーを首周りに装着してネックカバーとして使用した場合、ファッション性に優れ見栄えが良くなる。
【００１６】
前記首・顔面の筒状カバーは、前記筒状本体を下方に向けて末が広がる形状にしたので、首から胸元にかかかる部分や、首から肩にかかる部分にも広がり、広い範囲の肌を紫外線から保護することができる。また、前記筒状カバーを装着したとき見栄えもよくなる。
また、  前記首・顔面の筒状カバーは、紫外線難透過性素材により構成されているので、紫外線による日焼け等の肌への悪影響を防ぐことができる。  
【図面の簡単な説明】
【００１７】
【図１】図１は本考案の首・顔面の筒状カバーの正面図である。
【図２】図２は本考案の首・顔面の筒状カバーの右側面図である。
【図３】図３は本考案の首・顔面の筒状カバーのＸ−Ｘ’断面図である。
【図４】図４は本考案の折り返し部を筒状本体の内側に折り返さない状態の首・顔面の筒状カバーの正面図である。
【図５】図５は本考案の折り返し部を筒状本体の内側に折り返さない状態の首・顔面の筒状カバーの右側面図である。
【図６】図６は本考案の折り返し部を筒状本体に固定する部分の部分拡大断面図である。
【図７】図７は本考案の首・顔面の筒状カバーを装着した状態を示す参考図である。
【図８】図８は本考案の首・顔面の筒状カバーをネックカバーとして使用した状態を示す参考図である。
【考案を実施するための形態】
【００１８】
図１ないし図８において、Ａは首・顔面の筒状カバーであり、顔面Ｂの鼻・口・頬・顎と耳Ｃ及び首Ｄを覆うことができるように、横方向に伸縮性が大きい生地で構成され、また、顔面Ｂの鼻・口・頬・顎と耳Ｃ及び首周りの肌を、紫外線による日焼け等を防ぐために、紫外線難透過性素材で構成されている。
【００１９】
前記首・顔面の筒状カバーＡは、筒状本体１と、前記筒状本体１の上端より内側に折り返された折り返し部２とを備えている。
前記筒状本体１は、顔面Ｂの鼻・口・頬・顎と耳Ｃ及び首Ｄの前部を覆う前部被覆部１ａと、首Ｄの後部を覆う後部被覆部１ｂとを備え、また、前記折り返し部２は、前記筒状本体１の前記前部被覆部１ａと連続する前部側部分２ａと、前記筒状本体１の前記後部被覆部１ｂと連続する後部側部分２ｂとを備えている。
すなわち、前記首・顔面の筒状カバーＡの前記筒状本体１と前記折り返し部２は、図４及び図５に示すように、前記前部被覆部１ａと前部側部分２ａが一枚の生地で構成され、前記後部被覆部１ｂと後部側部分２ｂも一枚の生地で構成され、この２枚の生地の両側部を縫合し筒状に形成したものである。
前記筒状に形成した前記筒状本体１の上端（図４及び図５において一点鎖線で表した位置）から、前記折り返し部２が前記筒状本体１の内側に折り返され、前記首・顔面の筒状カバーＡの上部が二重になっている。
【００２０】
３は、耳掛け用開口部であり、前記折り返し部２の前記前部側部分２ａの両側部に設けた円弧状の前部切欠部３ａと、前記後部側部分２ｂの両側部に設けた円弧状の後部切欠部３ｂとを組合わせて形成されている。
よって、前記折り返し部２の前記前部側部分２ａの両側部と、前記後部側部分２ｂの両側部を縫合する際に、円弧状の前部切欠部３ａと円弧状の後部切欠部３ｂとを組合わせた部分を縫い合わせることなく開口したままとして、前記耳掛け用開口部３の下端と前記折り返し部２の下端との間を縫合し、かつ、前記耳掛け用開口部３の上端と前記折り返し部２の上端との間を縫合することにより、前記耳掛け用開口部３が構成されるようになっている。
前記耳掛け用開口部３を構成する前記円弧状の前部切欠部３ａは、奥行きの浅い凹状の切欠部とし、また、前記円弧状の後部切欠部３ｂは、奥行きの深い凹状の切欠部とし、耳掛け用開口部３の形状を耳Ｃ（の耳殻）を通し易く、また、耳Ｃに耳掛け用開口部３、３を掛かけ、首・顔面の筒状カバーＡを装着したとき、装着位置に安定して保持できる縦長の略楕円形となっている。
【００２１】
前記折り返し部２は、図４及び図５に示されている一点鎖線の位置から前記筒状本体１の内側に折り曲げられ、前記首・顔面の筒状カバーＡの上部が二重になり、前記耳掛け用開口部３に通した耳Ｃを、前記筒状本体１と折り返し部２の間に挟み耳を覆う構成となっている。
【００２２】
５ａは、前記折り返し部２を前記筒状本体１の縫合部４に固定する上部固定部であり、前記耳掛け用開口部３の上端と前記折り返し部２の上端間に設けられ、５ｂは、前記折り返し部２を前記筒状本体１の縫合部に固定する下部固定部であり、前記折り返し部２の両端部に設られた前記耳掛け用開口部３の下端と前記折り返し部２の下端間に設けられ、図６に示すように、前記上部固定部５ａと下部固定部５ａとにより、前記折り返し部２を前記筒状本体１の縫合部４の上下２箇所で固定することができるようになっている。なお、前記上部固定部５ａと前記下部固定部５ｂは、図６に示すように縫合部である。
【００２３】
前記首・顔面の筒状カバーＡの前記筒状本体１の形状は、下方に向けて末が広がる形状となっており、首から胸元にかかかる部分や、首から肩にかかる部分までも覆うことができ、広い範囲の肌を紫外線から保護し、かつ、前記首・顔面の筒状カバーＡを装着したとき見栄がよくなるようになっている。
【００２４】
６は、前記筒状本体１の前記前部被覆部１ａと後部被覆部１ｂとの縫合部４に沿うように備えた形態保持テープであり、前記形態保持テープ６は引っ張られた状態で縫合部４に取り付けられ、前記形態保持テープ６を取り付けた後引っ張っていた力を解除すると、前記形態保持テープ６の収縮力により縫合部４が縮み、前記首・顔面の筒状カバーＡの筒状本体１にギャザーが形成されるようになっている。
【００２５】
上記構成としたので、本考案の首・顔面の筒状カバーに両手を差し入れ左右に開くようにすると、横方向に伸縮性が大きい生地を使用していることから、前記筒状カバーの径が広げられ、前記筒状カバーに頭を通すことができ、顔面の鼻・口・頬・顎と耳及び首周りを被覆でき、前記筒状カバーに備えた耳掛け用開口部に耳を通すことにより、所定の装着位置に前記筒状カバーを保持することができる。
【００２６】
よって、自転車に乗るとき、或いは、ジョギング等のスポーツをするとき等、日傘を差したり日除け用帽子を被ることができない場合、首・顔面の筒状カバーの上端を目の下付近に位置させ、前記筒状カバーの下端が首の付け根付近、すなわち、首から胸・首から肩・首から背に掛かる部分に位置するように被覆し、耳掛け用開口部に耳を通して装着することにより、首周りだけでなく顔面の鼻・口・頬・顎及び耳を紫外線から保護できるとともに、肌の保湿を図ることができる。
【００２７】
また、顔面の鼻・口・頬・顎を被覆する必要性が無い場合は、前記首・顔面の筒状カバーの耳掛け用開口部から耳を外し、前記筒状カバーを首周りに引き下げれば、ネックカバーとして使用でき、首周りの肌を紫外線から保護できるとともに、肌の乾燥も防ぐことができ、かつ、首周りのしわ・シミを覆い隠すことができるネックカバーとして使用でき便利である。
さらに、前記首・顔面の筒状本体１の前記前部被覆部と後部被覆部の縫合部に、形態保持テープが備えられ、前記筒状本体１にギャザーが形成されるので、ファッション性に優れたネックカバーとして使用することができる。
【符号の説明】
【００２８】
Ａ   首・顔面の筒状カバー
Ｂ   顔面
Ｃ   耳
Ｄ   首
１   筒状本体
１ａ 前部被覆部
１ｂ 後部被覆部
２   折り返し部
２ａ 前部側部分
２ｂ 後部側部分
３   耳掛け用開口部
３ａ 前部切欠部
３ｂ 後部切欠部
４   縫合部
５ａ 上部固定部
５ｂ 下部固定部
６   形態保持テープ
【図１】
0003207567.tif 000003
【図２】
0003207567.tif 000004
【図３】
0003207567.tif 000005
【図４】
0003207567.tif 000006
【図５】
0003207567.tif 000007
【図６】
0003207567.tif 000008
【図７】
0003207567.tif 000009
【図８】
0003207567.tif 000010